(57)【要約】【課題】  足の長手方向軸線を中心とした足の回転運動（即ち、足の裏を足の幅方向に傾ける運動）を再現することができる、即ち、三次元的な動きも可能な練習装置を提供すること。【解決手段】  本発明の練習装置は、ベースプレート２と、ベースプレートに対して相対回転可能に連結された旋回プレート４と、旋回プレート上で水平方向に延びるように配置された回転軸６と、回転軸を中心に回転可能に前記旋回プレートに連結されたステップ台８と、を備えていることを特徴とする練習装置である。【選択図】  図１
2012239698.tif 000002
【特許請求の範囲】
【請求項１】
練習装置であって、
ベースプレートと、
該ベースプレートに直交する軸線を中心に該ベースプレートに対して相対回転可能に連結された旋回プレートと、
該旋回プレート上で水平方向に延びるように配置された回転軸と、
該回転軸を中心に回転可能に前記旋回プレートに連結されたステップ台と、を備えている、
ことを特徴とする練習装置。
【請求項２】
前記ベースプレートを、該ベースプレートが配置されている面に対して、選択的に可動とする機構を備え、
該機構が、前記ステップ台にかかる荷重が減少したとき、可動状態とされるものである、
請求項１に記載の練習装置。
【請求項３】
前記ステップ台を、水平状態に付勢する付勢手段を、更に備えている、
請求項１または２に記載の練習装置。
【発明の詳細な説明】
【技術分野】
【０００１】
本発明は、概略的には練習装置に関連し、詳細には、スキー等のスポーツの技術を習得する際に使用する練習装置に関する。
【背景技術】
【０００２】
スキー等の技術を習得する際に使用する練習装置としては、例えば、特開平7-328146号公報（特許文献１）に記載されている「ツイストスキートレーニング遊具」が知られている。
【０００３】
この装置は、第１の枠体に設けられた矩形の開口内で左右に摺動かつ自転可能な円形の第２の枠体に、一対の自転可能なターンテーブルが配置された構造を備えている。使用者は、一対の自転可能なターンテーブルのそれぞれの左右の足を載せて、スキー滑走中に行われるような運動を行うことにより、スキー滑走中に行われる、左右へのスライド運動、左右の足の独立したツイスト運動、左右の足の前後差を作る運動が合成された動きを体験することができる。
【先行技術文献】
【特許文献】
【０００４】
【特許文献１】特開平７−３２８１４６号公報
【発明の概要】
【発明が解決しようとする課題】
【０００５】
上記先行技術の装置（遊具）は、左右のスライド、ツイスト等の複数種類の運動が合成された動きを体験することが可能であるが、これら運動のすべてが同一平面上における二次元的な運動であった。
【０００６】
しかしながら、例えば、近年のスキー技術においては、ターンに際して、内足のインエッジの操作等の複雑な三次元的な動きが重要視されてきているが、上記先行技術の装置（遊具）では、このような動きを再現することができなかった。
このため、足の長手方向軸線を中心とした足の回転運動（即ち、足の裏を足の幅方向に傾ける運動）を再現することができる、即ち、三次元的な動きも可能な練習装置が求められている。
【課題を解決するための手段】
【０００７】
本発明は上記要請に応じてなされたものであり、
練習装置であって、
ベースプレートと、
該ベースプレートに直交する軸線を中心に該ベースプレートに対して相対回転可能に連結された旋回プレートと、
該旋回プレート上で水平方向に延びるように配置された回転軸と、
該回転軸を中心に回転可能に前記旋回プレートに連結されたステップ台と、を備えている、
ことを特徴とする練習装置を提供する。
【０００８】
このような構成を有する本発明の練習装置は、２台の練習装置を回転軸が平行になる向きで並列配置し、使用者が、左右の練習装置のステップ台のそれぞれに、足の長手方向軸線が装置の回転軸と平行になるように左右の足を載せて使用される。
【０００９】
尚、本明細書において、「足」とは、股関節から先端側の部分を指す「脚」のうちの足首から先端側の部分を指す。
【００１０】
本発明の練習装置では、ステップ台が水平方向に延びる回転軸を中心に回転可能とされているので、使用者は、ステップ台に乗せた足を足の長手方向軸線に沿って回転させ（即ち、足の裏を巾方向に傾斜させ）、スキー操作におけるインエッジを立てる動き或いはアウトエッジを立てる動きに類似する運動を、練習装置上で行うことができる。
【００１１】
さらに、ステップ台が連結されている旋回プレートが、床面等に載置されるベースプレートに対して回転可能に連結されているので、使用者が、ステップ台に載せた足を例えば頸骨を中心に回動させようとすると、ステップ台が連結されている旋回プレートがベースプレートに対して回転し、上述した頸骨を中心として足の回動運動（ピボット運動）が実現される。
【００１２】
このように本発明によれば、同一平面上でのピボット的な回動運動に加え、足（足の裏）を巾方向に傾斜させる三次元的な運動も可能とされている。
【００１３】
本発明の他の好ましい態様によれば、前記ベースプレートを、該ベースプレートが配置されている面に対して、選択的に可動とする機構を備え、該機構が、前記ステップ台にかかる荷重が減少したとき、可動状態とされるものである。
【００１４】
本発明の他の好ましい態様によれば、ベースプレートが、ベースプレートが配置されている床面等の面に対して、ステップ台にかかる荷重が減少したとき可動とされるので、例えば、右足に大部分荷重し、左足への荷重が極めて少ない使用状態では、左足側の練習装置が床面に対して移動可能となり、使用者が左足側の練習装置を床面に対して移動させることにより、左右の脚に前後差が生じた状態、左右の足の間隔が拡がったあるいは狭まった状態等を作り出すことができる。
【００１５】
本発明の他の好ましい態様によれば、前記ステップ台を、水平状態に付勢する付勢手段を、更に備えている。
【００１６】
このような構成によれば、ステップ台に足が載せられていない状態（非使用時）には、ステップ台は水平に維持されるので、使用開始時に、足を載せ易くなる。
また、付勢手段による付勢力を適宜、設定することにより、スキー操作時にエッヂ操作を行った際の雪面からの抵抗を再現することが可能となる。
【発明の効果】
【００１７】
以上のように、上記構成を有する本発明によれば、足の長手方向軸線を中心とした足の回転運動（即ち、足の裏を足の幅方向に傾ける運動）を再現することができる、即ち、三次元的な動きも可能な練習装置が提供される。
【図面の簡単な説明】
【００１８】
【図１】本発明の第１実施形態の練習装置の分解斜視図である。
【図２】図１の練習装置の平面図である。
【図３】図２のＡ−Ａ線に沿った断面図である。
【図４】図１の練習装置の側面図である。
【図５】本発明の第２実施形態の練習装置の斜視図である。
【図６】図５の練習装置の要部の分解斜視図である。
【図７】図７は、本発明の第１実施形態の練習装置２００の分解斜視図である。
【図８】図８は、図７の練習装置の平面図である。
【図９】図９は、図８のＢ−Ｂ線に沿った断面図である。
【発明を実施するための形態】
【００１９】
以下、本発明の好ましい実施形態について、図面に沿って詳細に説明する。
先ず、本発明の第１実施形態の練習装置１について説明する。図１は、練習装置１の分解斜視図であり、図２は、練習装置１の平面図であり、図３は図２のＡ−Ａ線に沿った断面図であり、図４は練習装置１の側面図である。
【００２０】
図１ないし４に示されているように、本実施形態の練習装置１は、円形のベースプレート２と、このベースプレート２に直交する軸線を中心にベースプレート２に対して相対回転可能に連結された旋回プレート４と、この旋回プレート４上で水平方向に延びるように配置された回転軸であるシャフト６と、このシャフト６を中心に回転可能に旋回プレート４に連結されたステップ台８とを備えている、
【００２１】
ベースプレート２は、円板状部材であり、外周に沿って環状に延び、上方に向かって開口する下方ガイド溝１０を備えている。また、旋回プレート４は、ベースプレート２と略同一径の円盤状部材であり、外周に沿って環状に延び、下方に向かって開口する上方ガイド溝１２を備えている。
【００２２】
図３に示されているように、ベースプレート２と旋回プレート４は、上下に重なり合って配置されている。ベースプレート２の下方ガイド溝１０と旋回プレート４の上方ガイド溝１２は、ベースプレート２と旋回プレート４が上下に重なり合って配置されたとき、上下方向に整列し円環状の空間を形成するように構成されている。
【００２３】
図４に示されているように、ベースプレート２と旋回プレート４の間には、環状のガイドリング１４が配置されている。ガイドリング１４は、環状の下方ガイド溝１０と上方ガイド溝１２の巾より広い巾を有し、上下方向に整列した下方ガイド溝１０と上方ガイド溝１２によって形成された円環状の空間を上下に二分するように配置されている。
【００２４】
ガイドリング１４は、巾（径方向）中央位置に、所定の角度間隔で設けられた複数の貫通穴１６を備えている。各貫通穴１６は、同一の円形断面形状を有し、練習装置１では、３０度の角度間隔で、合計１２個形成されている。
各貫通穴１６内には、硬質の金属、プラスチック等で形成された硬球１８が配置されている。各硬球１８は、貫通穴１６の直径より若干小さく、且つ上下方向に整列した下方ガイド溝１０と上方ガイド溝１２によって形成された円環状の空間の略円形断面の直径とほぼ等しい直径を有している。
【００２５】
旋回プレート４の中央には、下方に向かって延びる支持ピン２０が固定されている。支持ピン２０の下端は、ベースプレート２の中央に形成された開口２２に回転可能に挿通されている。この結果、旋回プレート４は、ベースプレート２に対して、支持ピン２０を中心に回転可能に連結されることになる。
【００２６】
このような構成では、組み立て状態においては、硬球１８が、ガイドリング１４の貫通穴１６内に回転可能に保持された状態で、上下方向に整列した下方ガイド溝１０の底壁と上方ガイド溝１２の底壁との間に回転可能に挟持されるので、旋回プレート４に円周方向の力が加わると、床面に載置され固定状態にあるベースプレート２と旋回プレート４との間で硬球１８が回転し、旋回プレート４がベースプレート２に対して支持ピン２０を中心に矢印Ａ方向に回転運動することになる。
【００２７】
さらに、支持ピン２０には、一対のワッシャ２４、２６に挟持された状態で環状の皿ばね２８が挿通され、各ワッシャ２４、２６を、それぞれ、旋回プレート４およびベースプレート２の内面に向けて付勢している。
【００２８】
この結果、旋回プレート４と上方のワッシャ２４との間、およびベースプレート２と下方のワッシャ２６との間に摩擦が生じ、旋回プレート４にこの摩擦によって生じた近い以上の円周方向の力が加わったときに、旋回プレート４がベースプレート２に対して矢印Ａ方向に回転し始めることになる。
【００２９】
図４に示されているように、旋回プレート４の上面中央には、シャフト６の支持部となるシャフト取付部３０が形成されている。シャフト取付部材３０は、上部の巾方向中央に軸線方向に延びるかまぼこ状の隆起部３０ａを有する細長いブロックであり、中心（長手方向軸線の中間地点）が、旋回プレート４の中心と上下方向に整列するように、旋回プレート４上に配置されている。
【００３０】
また、隆起部３０ａは、シャフト６が回転可能に挿通される寸法を有し、隆起部３０ａを軸線方向に貫通するシャフト孔３２を備えている。
【００３１】
旋回プレート４の上方には、該旋回プレート４にシャフト６を中心に回転可能に前記旋回プレートに連結されたステップ台８が配置されている。ステップ台８は、頂面に使用者の足（足の裏）が載置される踏み板であり、左右の長辺が内方に向かって湾曲した長円形の形状を有する。
【００３２】
更に、ステップ台８の下面には、一対のシャフト保持部３４、３４が設けられている。シャフト保持部３４は、長さが短いかまぼこ状の形状を有し、貫通孔３４ａが形成されている。
【００３３】
一対のシャフト保持部３４は、シャフト取付部材３０の長さに略等しい距離だけ離間するようにステップ台８の下面に配置されている。この結果、ステップ台８を旋回プレート４上方の所定位置に配置すると、一対のシャフト保持部３４のそれぞれが、旋回プレート４の上面に取付けられたシャフト取付部材３０の長手方向の各端の外方に配置され、一対のシャフト保持部３４がシャフト取付部材３０を長手方向両端から挟むことになる。
【００３４】
また、シャフト保持部３４の貫通孔３４ａは、ステップ台８が旋回プレート４上方の所定位置に配置されると、シャフト取付部材３０のシャフト孔３２と整列する位置に形成さている。したがって、シャフト孔３２に挿通されたシャフト６が、各シャフト保持部３４の貫通孔３４ａにも挿通される。
この結果、ステップ台８は、シャフト６を中心に矢印Ｂ方向に回動可能に、旋回プレート４に連結されることになる。
【００３５】
本実施形態では、シャフト孔３２に挿通されたシャフト６の両端に抜け止めリング３６、３６が配置される。
【００３６】
さらに、シャフト取付部材３０のシャフト孔３２には、ステップ台８を水平位置に向けて付勢するテンションスプリング３８が配置されている。
【００３７】
このような構成によって、ステップ台８の長手方向軸線に足の長手方向軸線を揃えるようにステップ台８に足を載せると、ステップ台８に乗せた足を足の長手方向軸線に沿って回転させ（即ち、足の裏を巾方向に傾斜させ）、スキー操作におけるインエッジを立てる動き或いはアウトエッジを立てる動きに類似する運動を行うことができる。
【００３８】
ベースプレート２の下面には、ベースプレート２を、ベースプレート２が配置されている床面などの支持面に対して、選択的に可動とする機構が設けられている。
本実施形態では、この機構は、ベースプレート２の裏面に、９０度の角度間隔をおいて、４箇所、設けられた転動装置４０から構成されている。
【００３９】
各転動装置４０は、ベースプレート２の裏面に形成された、円形断面の盲孔４２と、該盲孔４２に回転可能かつ矢印Ｄ方向に移動可能に収容されたボール４４とを備えている。更に、転動装置４０は、ボール４４の上方、即ち盲孔４２の底側に配置され、ボール４４を盲孔４２の開口に向けて付勢するばね４６、および円筒状のガイド４８と、ボール４４の下方、即ち盲孔４２の開口に固定された円筒状の押さえプレート５０とを備えている。
【００４０】
ガイド４８は、内径がボール４４の直径より若干大きな円筒体であり、内側にボール４４を回転可能に保持している。また、押さえプレート５０は、中央の開口がボール４４の直径より小さく設定され、ガイド４８を介してばね４６によって盲孔４２の開口に向けて付勢されるボール４４を、下方部分が開口から外方に突出させた状態で、盲孔４２内に保持する。
【００４１】
本実施形態の練習装置１は、練習装置１が床面等の平坦な支持面上に配置され、上方から荷重されていないときには、ガイド４８を介してばね４６によって盲孔４２の開口に向けて付勢されるボール４４の下方部分が、押さえプレート５０の開口から外方に突出し、４つの転動装置に収容された４つのボール４４によって、練習装置１が床面に支持されている状態となるように構成されている。
【００４２】
この状態では、ボール４４が盲孔４２内で回転することにより、ベースプレート２すなわち練習装置１が床面などの支持面に対して移動可能（可動）となる。
【００４３】
一方、ステップ台８等に載置された足によって、練習装置１に徐々に大きな荷重が付与されると、ベースプレート２が下方に押しつけられるので、ボール４４は、ばね４６の付勢力に抗して、相対的に盲孔４２の内方に引っ込み始める。
この状態では、ボール４４は、荷重されていない状態より回転し難くなっているので、ベースプレート２、すなわち練習装置１は、床面などの支持面に対して移動可能（可動）であるが、移動する際の抵抗は、荷重されていない状態より大きくなる。
【００４４】
さらに、大きく荷重されると、ボール４４の下方部分が押さえプレート５０の開口から完全に内方側（盲孔４２内）に移動した状態となり、ベースプレート２の下面が床面等の支持面に接触し、練習装置１は支持面に対して実質的に移動できなくなる。
【００４５】
このようｎ、ベースプレート２すなわち練習装置１が、ベースプレート２すなわち練習装置１が配置されている面に対して選択的に可動とされ、ステップ台８にかかる荷重が減少したとき可動状態となる。
【００４６】
次に、本発明の第２実施形態の練習装置１００について説明する。
練習装置１００は、概略的には、練習装置１と実質的に同一の機構を有する装置１’が並列状態でメインベースプレート１０２に取付けられた構成を備えている。
装置１’は、転動機構４０を備えていない点を除き、第１の実施形態の練習装置１と同一構成を備えている。
以下、練習装置１００について詳細に説明する。
【００４７】
図５は練習装置１００の斜視図であり、図６は、練習装置１００の要部の分解斜視図である。
図５及び図６に示されているように、練習装置１００は、中央に円形の開口を備えた略正方形の板体であるメインベースプレート１０２を備えている。メインベースプレート１０２の中央開口には、メインベースプレート１０２に対して回転可能な旋回部１０４がはめ込まれている。
【００４８】
旋回部１０４には、長方形の枠体であるスライドガイド１０６が固定され、旋回部１０４とスライドガイド１０６が一体となって、矢印Ｄ方向に、メインベースプレート１０２に対して回転可能とされている。
【００４９】
スライドガイド１０６には、第１実施形態の練習装置１とほぼ同一の構造を有する一対の練習装置１’が、左右方向（矢印Ｅ方向）に並列状態でスライド可能に取付けられている。詳細には、練習装置１’のベースプレート１０８が、枠状のスライドガイド１０６のフレームに設けられてスライド溝に嵌め込まれ、一対の練習装置１’のスライドガイド１０６の長手方向に往復動可能とされている。
【００５０】
各練習装置１’のベースプレート１０８と、スライドガイド１０６との間には、ブレーキパッド１０８と、一対のテンションばね１１０と、該ばねによってベースプレート１０８方向に付勢されるボール１１２が配置され、各練習装置１’がスライドガイド１０６内を左右方向に摺動可能とされている。
【００５１】
詳細には、練習装置１’のベースプレート１０８の前後に、矩形の切欠き部１１４が設けられ、この切欠き部１１４に一対の凹部１１６が形成されている。ボール１１２は、この凹部１１６内に収容されるとともに、ブレーキバッド１０８に連結されたテンションばね１１０によって、ベースプレート１０８に向けて付勢されている。
【００５２】
一方、スライドガイド１０６の長軸方向部材の内面にガイド溝１１８が形成されている。練習装置１’は、ベースプレート１０８が、ブレーキパッド１０８が取付けられている面がガイド溝１１８に嵌まり、スライドガイド１０６内を摺動するように構成されている。
【００５３】
テンションばね１１０は、ブレーキパッド１０８をガイド溝１１８に向けて付勢することになるので、ブレーキパッド１０８とガイド溝１１８の間の摩擦によって、練習装置１’のスライドガイド１０６に対する摺動するためには一定値以上の力が必要となる。
【００５４】
このような構成を有する練習装置１’を使用する際、使用者は、各練習装置１’のステップ台８のそれぞれの左右の足を載せる。上記第１実施形態の練習装置１と同様に、ステップ台８が左右に傾斜可能であるので、スキーにおけるエッジを立てる動作が可能であり、また、ベースプレートに対して旋回プレートが回転可能であるので、頸骨を中心とした捻り（ピボット）動作も可能である。
【００５５】
さらに、各練習装置１’がスライドガイド１０６に沿って左右にスライド可能であるので、脚を開閉し左右の足の間隔を変更する動作が可能とされ、さらに、スライドガイド１０６が、メインベースプレート１０２に対して回転可能とされているので、例えば骨盤を中心として身体全体を捻る動作も可能となる。
【００５６】
そして、これらの種々の動作を同時に行うことが可能であるので、スキー滑走中に行われる殆どの動きを再現（シュミレーション）することが可能となり、床面上等において、スキー滑走に必要な動きを効果的に再現し、習得することができる。
【００５７】
本発明は、上記実施形態に限定されることなく、特許請求の範囲に記載された技術的思想の範囲内で種々の変更、変形が可能である。
上記実施形態では、ベースプレートと旋回プレートとの間に複数の硬球を配置して、ベースプレートに対する旋回プレートの旋回を円滑する構成であったが、硬球に変えて、ロールベアリング等の他の装置をベースプレートと旋回プレートとの間に配置した構成でもよい。
【００５８】
また、図７に示されている第３の実施形態の練習装置２００のように、練習装置１の硬球１８に代えて、ベースプレート２０２と旋回プレート２０４との間に、針状コロ軸受け２０６を配置し、ベースプレートを旋回プレートに対して回転可能にした構成でもよい。
【００５９】
図７は、練習装置２００の分解斜視図であり、図８は、練習装置２００の平面図であり、図９は図８のＢ−Ｂ線に沿った断面図であり、図４は練習装置１の側面図である。
【００６０】
この練習装置２００では、ベースプレート２０２の上面に環状溝２０６を形成し、この環状溝内にガイドワッシャ２０８および環状の針状コロ軸受け２１０が配置されている。旋回プレート２０４は、ガイドワッシャ２０８および環状の針状コロ軸受け２１０の外径と略等しい外径を有し、ボルト２１２、支点シャフト２１４、ネジ２１５等によってベースプレート２０２に連結されている。
練習装置２００では、針状コロ軸受け２１０によって、旋回プレート２０４がベースプレート２０２に対して回転可能とされている。
【００６１】
また、練習装置２００では、練習装置１のシャフト取付部３０に代えて、旋回プレート２０４の径方向両端に一対の立ち上がり部２０４ａ、２０４ａが設けられている。組み立て状態では、この一対の立ち上がり部２０４ａ、２０４ａが、ステップ台８の下面の一対のシャフト保持部３４、３４の外側に配置される。
【００６２】
シャフト孔３２を貫通するシャフト６は、一対の立ち上がり部２０４ａ、２０４ａの両外方端の間と距離とほぼ等しい長さであり、立ち上がり部２０４ａに設けられたボルト孔２０４ｂを通るボルト２１６によって立ち上がり部２０４に連結され、ステップ台８を、旋回プレート２０４上で水平方向に延びるように配置された回転軸を中心に回転可能に支持する。
【００６３】
練習装置２００では、ベースプレート２０２の下面に、練習装置１の転動装置４０と同様の転がりユニット２１８が複数、配置され、練習装置２００が、ベースプレート２０２が配置されている面に対して選択的に可動とされている。
【００６４】
また、練習装置２００では、ベースプレート２０２の下面に複数枚の滑り止めシート２２０がまた、ステップ台８の表面には滑り止めパッド２２２がそれぞれ貼り付けられている。
さらに、練習装置２００では、オイレスベアリング２２４が、ネジ２１５に取付けられている。
【符号の説明】
【００６５】
１：練習装置
２：ベースプレート
４：旋回プレート
６：シャフト
８：ステップ台
１０：下方ガイド溝
１２：上方ガイド溝
１４：ガイドリング
１６：貫通穴
１８：硬球
２０：支持ピン
【図１】
2012239698.tif 000003
【図２】
2012239698.tif 000004
【図３】
2012239698.tif 000005
【図４】
2012239698.tif 000006
【図５】
2012239698.tif 000007
【図６】
2012239698.tif 000008
【図７】
2012239698.tif 000009
【図８】
2012239698.tif 000010
【図９】
2012239698.tif 000011